(57)【要約】  溶液の付着対象となる領域が形成された基板に対する溶液の付着範囲を高精度に制御することのできる溶液付着装置及び溶液付着方法を提供する。溶液付着装置１００は、重力方向に向かって溶液を吐出する吐出口１３１Ａを有する吐出器具１３１と、吐出器具１３１の吐出口１３１Ａを含む端面１３１ａよりも重力方向に、基板１に形成された金属膜１１が配置された位置決め状態で、吐出口１３１Ａから吐出させた溶液を金属膜１１に付着させる制御を行う溶液付着制御部１５０と、を備える。位置決め状態において、重力方向に垂直な面Ｇ１に端面１３１ａを投影した場合の第一の投影領域１３１ａＸは、面Ｇ１に金属膜１１を投影した場合の第二の投影領域１１Ｘと実質的に重なっている。
2017090427.tif 000002
【特許請求の範囲】
【請求項１】
重力方向に向かって溶液を吐出する吐出口を有する吐出器具と、
前記吐出器具の前記吐出口を含む端面よりも重力方向に、基板に形成された溶液の付着対象領域が配置された状態で、前記吐出口から吐出させた溶液を前記付着対象領域に付着させる制御を行う溶液付着制御部と、を備え、
前記状態において、重力方向に垂直な面に前記端面を投影した場合の第一の投影領域は、前記面に前記付着対象領域を投影した場合の第二の投影領域と実質的に重なっている溶液付着装置。
【請求項２】
請求項１記載の溶液付着装置であって、
前記基板には、複数の前記付着対象領域が一方向に並べて形成されており、
前記第一の投影領域及び前記第二の投影領域は、それぞれ矩形であり、
前記第一の投影領域は、前記第二の投影領域の前記一方向の両端から前記第二の投影領域の外側に前記一方向に向かって第一の距離ずつはみ出しており、
前記第一の距離は、前記複数の付着対象領域のうちの隣接する２つの付着対象領域間の前記一方向における第二の距離の１／２０よりも大きく、前記第二の距離の１／２より小さい溶液付着装置。
【請求項３】
請求項１又は２記載の溶液付着装置であって、
前記付着対象領域の面積は、５ｍｍ２以上１５ｍｍ２以下である溶液付着装置。
【請求項４】
請求項１〜３のいずれか１項記載の溶液付着装置であって、
前記付着対象領域は、金を含む金属から構成されている溶液付着装置。
【請求項５】
請求項１〜４のいずれか１項記載の溶液付着装置であって、
前記溶液付着制御部は、前記状態で、前記吐出器具の前記端面と前記付着対象領域との重力方向の距離を第一の値に制御して、前記吐出口から吐出される溶液を前記付着対象領域に接触させ、その後、前記吐出器具の前記端面と前記付着対象領域との重力方向の距離を前記第一の値よりも小さい第二の値に制御し、その後、前記吐出器具の前記端面と前記付着対象領域との重力方向の距離を前記第二の値よりも大きい第三の値に制御して、前記吐出口から吐出される溶液を前記付着対象領域に付着させる溶液付着装置。
【請求項６】
請求項５記載の溶液付着装置であって、
前記第一の値から前記第二の値を引いた値は、前記第一の値の０．０５倍より大きく、前記第一の値の０．５倍より小さい溶液付着装置。
【請求項７】
請求項１〜６のいずれか１項記載の溶液付着装置であって、
前記基板は、表面プラズモン共鳴を利用して生体試料の解析を行うためのものである溶液付着装置。
【請求項８】
重力方向に向かって溶液を吐出する吐出口を有する吐出器具の前記吐出口を含む端面よりも重力方向に、基板に形成された溶液の付着対象領域が配置された状態で、前記吐出口から吐出される溶液を前記付着対象領域に付着させる溶液付着方法であって、
前記状態において、重力方向に垂直な面に前記端面を投影した場合の第一の投影領域は、前記面に前記付着対象領域を投影した場合の第二の投影領域と実質的に重なっており、
前記状態で、前記吐出器具の前記端面と前記付着対象領域との重力方向の距離を第一の値に制御して、前記吐出口から吐出される溶液を前記付着対象領域に接触させ、その後、前記吐出器具の前記端面と前記付着対象領域との重力方向の距離を前記第一の値よりも小さい第二の値に制御し、その後、前記吐出器具の前記端面と前記付着対象領域との重力方向の距離を前記第二の値よりも大きい第三の値に制御して、前記吐出口から吐出される溶液を前記付着対象領域に付着させる溶液付着方法。
【請求項９】
請求項８記載の溶液付着方法であって、
前記第一の値から前記第二の値を引いた値は、前記第一の値の０．０５倍より大きく、前記第一の値の０．５倍より小さい溶液付着方法。
【請求項１０】
請求項８又は９記載の溶液付着方法であって、
前記基板には、複数の前記付着対象領域が一方向に並べて形成されており、
前記第一の投影領域及び前記第二の投影領域は、それぞれ矩形であり、
前記第一の投影領域は、前記第二の投影領域の前記一方向の両端から前記第二の投影領域の外側に前記一方向に向かって第一の距離ずつはみ出しており、
前記第一の距離は、前記複数の付着対象領域のうちの隣接する２つの付着対象領域間の前記一方向における第二の距離の１／２０よりも大きく、前記第二の距離の１／２より小さい溶液付着方法。
【請求項１１】
請求項８〜１０のいずれか１項記載の溶液付着方法であって、
前記付着対象領域の面積は、５ｍｍ２以上１５ｍｍ２以下である溶液付着方法。
【請求項１２】
請求項８〜１１のいずれか１項記載の溶液付着方法であって、
前記付着対象領域は、金を含む金属から構成されている溶液付着方法。
【請求項１３】
請求項８〜１２のいずれか１項記載の溶液付着方法であって、
前記基板は、表面プラズモン共鳴を利用して生体試料の解析を行うためのものである溶液付着方法。
【発明の詳細な説明】
【技術分野】
【０００１】
本発明は、溶液を所望領域に付着させる溶液付着装置及び溶液付着方法に関する。
【背景技術】
【０００２】
被検物質に含まれるタンパク質、酵素、及び無機化合物等を定量するための高感度かつ容易な測定法として蛍光検出法が広く用いられている。この蛍光検出法は、特定波長の光により励起されて蛍光を発する被検物質を含むと考えられる生体試料に上記特定波長の励起光を照射した際に発する蛍光を検出することによって被検物質の存在を確認する方法である。また、被検物質が蛍光体でない場合には、蛍光色素で標識されて被検物質と特異的に結合する物質を生体試料に接触させ、その後上記と同様にして蛍光を検出することにより、被検物質の存在を確認することも広くなされている。【０００３】
このような蛍光検出法において、検出の感度を向上させるため、プラズモン共鳴による電場増強の効果を利用した表面プラズモン共鳴センサ装置が知られている。表面プラズモン共鳴センサ装置では、プラズモン共鳴を生じさせるため、基板上に金属膜が形成された検査キットが用いられる。そして、検査キットの基板と金属膜との界面に対して、基板における金属膜形成面の反対面側から全反射角以上の角度で励起光を入射させる。この励起光の照射により金属膜に表面プラズモンが発生し、表面プラズモンの発生による電場増強作用によって蛍光が増強され、シグナル／ノイズ比（Ｓ／Ｎ比）が向上することとなる。【０００４】
表面プラズモン共鳴センサ装置に用いられる検査キットでは、基板上に形成された金属膜上に、測定対象である生体試料、すなわちリガンド試料（デオキシリボ核酸（ＤＮＡ）も含む）が付着される。また、金属膜とリガンド試料との間の接合性を改善するために、予めカップリング材を金属膜上に付着しておく場合もある。【０００５】
特許文献１は、表面プラズモン共鳴センサ装置に用いられる検査キットの金属膜に溶液を付着させる方法を開示している。【０００６】
特許文献２は、有機ＥＬ（Ｅｌｅｃｔｒｏ  Ｌｕｍｉｎｅｓｃｅｎｃｅ）表示装置を製造するために用いられる塗布装置を開示している。この塗布装置は、吐出口から溶液を下方に吐出するノズルを洗浄するためのノズル洗浄装置を有している。【０００７】
特許文献３は、電極上に半導体チップを含む溶液を滴下して、電極上に半導体チップを付着させる方法を開示している。【０００８】
特許文献４は、電子部品などの表面に、液状樹脂又は接着剤などの液体を塗布する装置を開示している。
【先行技術文献】
【特許文献】
【０００９】
【特許文献１】日本国特開２００３−１７２７４４号公報
【特許文献２】日本国特開２００９−０４５５４１号公報
【特許文献３】日本国特開２０１０−０４５１４５号公報
【特許文献４】日本国特開２００４−２２３４７１号公報
【発明の概要】
【発明が解決しようとする課題】
【００１０】
表面プラズモン共鳴センサ装置に用いられる検査キットの金属膜は、その面積が数ｍｍ２から数十ｍｍ２程度と非常に小さい。このような小さな領域を対象として、この領域の全体に溶液を付着させるためには、吐出器具から吐出させる溶液の量を多くすることが有効である。【００１１】
しかし、吐出器具から吐出させる溶液の量（液量）が多すぎると、溶液の付着対象となる金属膜が複数近接して存在するような検査キットの場合には、複数の金属膜の各々に付着される溶液同士が混ざりあってしまう。また、液量を多くすると、溶液が付着される基板上の範囲を高精度に制御することが難しい。このため、吐出器具から吐出させる溶液の量は少なくすることが好ましい。【００１２】
少ない液量で金属膜全体を高精度に覆うためには、吐出器具と金属膜とをできるだけ近づけた状態で、吐出器具から溶液を吐出することが有効である。ここで、吐出器具の底面のサイズが金属膜のサイズよりも小さいと、溶液の吐出時に、吐出器具の底面と金属膜との間に吐出されている溶液が吐出器具の側面に回り込んでこの側面に付着する可能性がある。この結果、金属膜に付着される溶液が減少してしまって、金属膜全体を溶液で覆うことができなくなる可能性がある。【００１３】
また、吐出器具の底面のサイズが金属膜のサイズよりも小さいと、金属膜表面に濡れ性のばらつきがある場合には、吐出器具から吐出された溶液が、金属膜表面にて濡れ性の高い方向に引っ張られてしまい、金属膜全体を溶液で覆うことができなくなる可能性がある。【００１４】
更に、吐出器具の底面のサイズが金属膜のサイズよりも小さいと、金属膜と金属膜が形成された基板との間で濡れ性に違いが生じている場合には、金属膜と基板の境界面において、吐出器具から吐出された溶液の広がりが止まってしまい、金属膜全体を溶液で覆うことができなくなる可能性がある。【００１５】
ここでは、表面プラズモン共鳴センサ装置に用いられる検査キットの金属膜を、溶液の付着を行う対象として説明した。しかし、面積が数ｍｍ２から数十ｍｍ２程度と小さい所定の領域を溶液で覆う必要のある技術であれば、上述してきた課題が生じ得る。【００１６】
特許文献１は、表面プラズモン共鳴センサ装置に用いられる検査キットの金属膜に対する溶液の付着精度については考慮していない。【００１７】
特許文献２及び特許文献４は、所定の領域を溶液で覆うことを想定しておらず、溶液の付着精度については考慮していない。【００１８】
特許文献３は、電極全体を溶液で覆うことを想定しておらず、溶液の付着精度については考慮していない。【００１９】
本発明は、上記事情に鑑みてなされたものであり、溶液の付着対象となる領域が形成された基板に対する溶液の付着範囲を高精度に制御することのできる溶液付着装置及び溶液付着方法を提供することを目的とする。
【課題を解決するための手段】
【００２０】
本発明の溶液付着装置は、重力方向に向かって溶液を吐出する吐出口を有する吐出器具と、上記吐出器具の上記吐出口を含む端面よりも重力方向に、基板に形成された溶液の付着対象領域が配置された状態で、上記吐出口から吐出させた溶液を上記付着対象領域に付着させる制御を行う溶液付着制御部と、を備え、上記状態において、重力方向に垂直な面に上記端面を投影した場合の第一の投影領域は、上記面に上記付着対象領域を投影した場合の第二の投影領域と実質的に重なっているものである。【００２１】
本発明の溶液付着方法は、重力方向に向かって溶液を吐出する吐出口を有する吐出器具の上記吐出口を含む端面よりも重力方向に、基板に形成された溶液の付着対象領域が配置された状態で、上記吐出口から吐出される溶液を上記付着対象領域に付着させる溶液付着方法であって、上記状態において、重力方向に垂直な面に上記端面を投影した場合の第一の投影領域は、上記面に上記付着対象領域を投影した場合の第二の投影領域と実質的に重なっており、上記状態で、上記吐出器具の上記端面と上記付着対象領域との重力方向の距離を第一の値に制御して、上記吐出口から吐出される溶液を上記付着対象領域に接触させ、その後、上記吐出器具の上記端面と上記付着対象領域との重力方向の距離を上記第一の値よりも小さい第二の値に制御し、その後、上記吐出器具の上記端面と上記付着対象領域との重力方向の距離を上記第二の値よりも大きい第三の値に制御して、上記吐出口から吐出される溶液を上記付着対象領域に付着させるものである。
【発明の効果】
【００２２】
本発明によれば、溶液の付着対象となる領域が形成された基板に対する溶液の付着範囲を高精度に制御することのできる溶液付着装置及び溶液付着方法を提供することができる。
【図面の簡単な説明】
【００２３】
【図１】本発明の一実施形態である被検物質測定キット１０の概略構成を示す図である。
【図２】図１に示すＩＩ−ＩＩ線断面模式図である。
【図３】本発明の一実施形態である溶液付着装置１００の概略構成を示す模式図である。
【図４】図３に示す吐出器具１３１を重力方向の反対方向から見た平面図である。
【図５】基板１が位置決めされた状態において、重力方向に垂直な面Ｇ１に吐出器具１３１の端面１３１ａと金属膜１１とを投影した状態を示す図である。
【図６】溶液付着装置１００において基板１を位置決めした状態を示す図である。
【図７】吐出ユニット１３０を重力方向に移動させる様子を示す図である。
【図８】基板１上の金属膜１１に溶液が吐出される様子を示す図である。
【図９】金属膜１１に接触した溶液が吐出器具１３１によって押し込まれる様子を示す図である。
【図１０】溶液に押し込まれていた吐出器具１３１を上昇させる様子を示す図である。
【図１１】溶液付着装置１００において、次に溶液を付着する基板１を位置決めする様子を示す図である。
【発明を実施するための形態】
【００２４】
以下、本発明の実施形態について図面を参照して説明する。
【００２５】
図１は、本発明の一実施形態である被検物質測定キット１０の概略構成を示す模式図である。被検物質測定キット１０は、表面プラズモン共鳴を利用して人又は動物の血液等の生体試料の解析（生体試料に含まれる特定の被検物質の検出）を行うためのキットである。図２は、図１に示すＩＩ−ＩＩ線断面模式図である。
【００２６】
被検物質測定キット１０は、基板１と流路形成用部材２とを主体に構成されている。
【００２７】
流路形成用部材２は、図１の例では全体形状がブリッジ状となっている凹部２３が一方の面に形成されている。流路形成用部材２は、この一方の面が基板１の表面と貼り合わせられている。そして、図２に示すように、凹部２３の内壁と基板１とで囲まれる空間により、生体試料を含む溶液を流すための流路が形成される。
【００２８】
流路形成用部材２には、一方の面から他方の面に貫通する流入孔２１及び排出孔２２が形成されている。流入孔２１は、凹部２３の内壁と基板１とで囲まれる空間からなる流路に、生体試料を含む溶液を流し込むためのものである。排出孔２２は、この流路から生体試料を含む溶液を外部に排出するためのものである。また、流路形成用部材２の基板１と反対側の面には、外部から溶液を流入出させるために、流入孔２１及び排出孔２２を取り囲んで設けられ、流路形成用部材２の厚さ方向に突出する突起部が構成されていてもよい。
【００２９】
図２に示すように、基板１には、３つの金属膜１１が一方向である方向Ａに距離Ｌｂ（第二の距離に相当）をあけて等間隔に配列されて形成されている。具体的には、基板１の表面のうち流路が形成される部分において、この流路に沿って、３つの金属膜１１が配列されている。３つの金属膜１１のうち、隣接する２つの金属膜１１間の方向Ａにおける距離が距離Ｌｂである。
【００３０】
本明細書において「基板に形成される」とは、金属膜が基板表面に直接接触するように配置されている場合のほか、金属膜が基板に直接接触することなく、他の層を介して形成されている場合をも含む。
【００３１】
金属膜１１としては、基板１表面に垂直な方向から見た状態での形状が矩形状のものが用いられる。
【００３２】
金属膜１１を構成する金属としては、表面プラズモン共鳴が生じ得るような物質を用いることができる。プラズモン共鳴を効果的に誘起するためには、金属膜１１の材料として金を含む金属を用いることが好ましく、金属膜１１の全てを金で構成することがより好ましい。なお、金属膜１１の代わりにシリコン等からなる半導体膜を用いることも可能である。
【００３３】
金属膜１１の表面には、被検物質と特異的な結合性を有する結合物質Ｍ１が固定されている。結合物質Ｍ１は、後述する溶液付着装置１００によって金属膜１１上に付着されたものであり、金属膜１１により、溶液が付着される付着対象領域が構成される。
【００３４】
この結合物質Ｍ１と結合した生体試料に含まれる被検物質量が、例えば、表面プラズモン励起による蛍光検出法（ＳＰＦ（Ｓｕｒｆａｃｅ  Ｐｌａｓｍｏｎ−ｅｎｈａｎｃｅｄ  Ｆｌｕｏｒｅｓｃｅｎｃｅ）法）によって測定される。被検物質測定キット１０に用いられる金属膜１１の基板１表面に垂直な方向から見た状態での面積は、５ｍｍ２以上１５ｍｍ２以下であるものが多いが、この面積に限定されるものではない。
【００３５】
図３は、本発明の一実施形態である溶液付着装置１００の概略構成を示す模式図である。
【００３６】
図３に示す溶液付着装置１００は、被検物質測定キット１０の基板１が載置されるステージ１１０と、ステージ１１０を動かすことで基板１を搬送する基板搬送装置１２０と、３つの吐出器具１３１及び吐出制御部１３２が設けられた吐出ユニット１３０と、吐出ユニット１３０を重力方向とその反対方向に駆動する吐出ユニット駆動装置１４０と、基板搬送装置１２０、吐出制御部１３２、及び、吐出ユニット駆動装置１４０を制御する溶液付着制御部１５０と、を備える。
【００３７】
吐出ユニット１３０の各吐出器具１３１は、重力方向に向かって溶液を吐出する吐出口１３１Ａを有する。吐出口１３１Ａを含む吐出器具１３１の端面１３１ａと吐出器具１３１の側面は、それぞれ、ステンレス等の濡れ性の高い材料で構成されていることが好ましい。
【００３８】
吐出ユニット１３０の吐出制御部１３２は、溶液付着制御部１５０の制御の下、図示せぬ溶液格納部に格納されている溶液を、各吐出器具１３１の吐出口１３１Ａから所定量だけ吐出させる。
【００３９】
基板搬送装置１２０は、溶液付着制御部１５０の制御の下、吐出器具１３１の３つ吐出口１３１Ａの各々と対向する位置に、ステージ１１０上に載置された任意の基板１の３つの金属膜１１がそれぞれ位置決めされるようにステージ１１０を移動させる。
【００４０】
吐出制御部１３２は、基板搬送装置１２０によって、吐出器具１３１の３つの吐出口１３１Ａの各々と対向する位置に任意の基板１の金属膜１１がそれぞれ位置決めされた位置決め状態において、各吐出口１３１Ａから溶液を吐出させて、溶液を金属膜１１に付着させる。
【００４１】
吐出ユニット駆動装置１４０は、溶液付着制御部１５０の制御の下、重力方向とその反対方向に吐出ユニット１３０を移動させる。
【００４２】
図４は、吐出器具１３１を重力方向の反対方向から見た平面図である。
【００４３】
吐出ユニット１３０の重力方向で下方となる端面１３０ａには、重力方向に突出する３つの吐出器具１３１が設けられている。３つの吐出器具１３１は、吐出ユニット１３０の端面１３０ａにおいて一方向に間隔をあけて配列されている。
【００４４】
図４に示すように、吐出器具１３１としては、例えば、吐出口１３１Ａを含む端面１３１ａの形状が矩形となっているものが用いられる。各吐出器具１３１の端面１３１ａの中心には円状の吐出口１３１Ａが形成されている。
【００４５】
また、吐出ユニット１３０に設けられる３つの吐出器具１３１の配列方向における配列ピッチ（吐出口１３１Ａの中心同士を結ぶ距離）は、基板１に形成された３つの金属膜１１の配列方向（方向Ａ）における配列ピッチ（金属膜１１の中心同士を結ぶ距離）と同じになっている。
【００４６】
図５は、３つ吐出口１３１Ａの各々と対向する位置に基板１の金属膜１１が位置決めされた位置決め状態において、重力方向に垂直な面Ｇ１に、吐出器具１３１の端面１３１ａと金属膜１１とをそれぞれ投影した状態を示す図である。
【００４７】
図５に示すように、重力方向に垂直な面Ｇ１に吐出器具１３１の端面１３１ａを投影した場合の第一の投影領域１３１ａＸは、面Ｇ１に金属膜１１を投影した場合の第二の投影領域１１Ｘと実質的に重なっている。
【００４８】
本明細書において「第一の投影領域１３１ａＸが第二の投影領域１１Ｘと実質的に重なる」とは、第一の投影領域１３１ａＸが第二の投影領域１１Ｘの９７％以上、好ましくは９９％以上の領域と重なることを言う。
【００４９】
図５の例では、第一の投影領域１３１ａＸは、第二の投影領域１１Ｘの方向Ａの両端から第二の投影領域１１Ｘの外側に方向Ａに向かって距離Ｌａ（第一の距離に相当）ずつはみ出している。また、第一の投影領域１３１ａＸは、第二の投影領域１１Ｘの方向Ａに直交する直交方向の両端から第二の投影領域１１Ｘの外側にこの直交方向に向かって距離Ｌｃずつはみ出している。このように、図５の例では、第一の投影領域１３１ａＸが、第二の投影領域１１Ｘの１００％の領域と重なっている。
【００５０】
以下、被検物質測定キット１０の各構成要素等について詳細に説明する。
【００５１】
（被検物質）
被検物質測定キット１０の検出対象である被検物質の種類は特に限定されないが、例えば、コルチゾール、インスリン様成長因子１（ＩＧＦ−Ｉ）、インスリン様成長因子結合蛋白３型（ＩＧＦＢＰ−３）、黄体形成ホルモン（ＬＨ）、甲状腺刺激ホルモン（ＴＳＨ）、抗利尿ホルモン（ＡＤＨ）、成長ホルモン（ＧＨ）、尿中ＧＨ、副腎皮質刺激ホルモン（ＡＣＴＨ）、プロラクチン、卵胞刺激ホルモン（ＦＳＨ）、チロキシン結合グロブリン（ＴＢＧ）、ＴＳＨ刺激性レセプター抗体（ＴＳＡｂ）、チロキシン（Ｔ４）、抗甲状腺ペルオキシダーゼ抗体（抗ＴＰＯ抗体）、マイクロゾーム抗体、抗サイログロブリン抗体、サイログロブリン、トリヨードチロニン（Ｔ３）、ｆＴ４、ｆＴ３、１，２５−（ＯＨ）２ビタミンＤ、Ｉ型コラーゲン架ＮＮ−テロペプチド（ＮＴｘ）、インタクトＩ型プロコラーゲン−Ｎ−プロペプチド（Ｉｎｔａｃｔ  ＰＩＮＰ）、オステオカルシン、カルシトニン、骨型アルカリフォスファターゼ（ＢＡＰ）、デオキシピリジノリン、副甲状腺ホルモン（ＰＴＨ）、副甲状腺ホルモン関連蛋白（ＰＴＨｒＰ）、５−ヒドロキシインドール酢酸（５−ＨＩＡＡ）、ホモバニリン酸（ＨＶＡ）、胆汁酸、Ｌ−ドーパ、３−メトキシ−４−ヒドロキシフェニルエチレングリコール（ＭＨＰＧ）、バニリルマンデル酸（ＶＭＡ）、カテコールアミン、セロトニン、メタネフリン、１１−デオキシコルチゾール、１７−ケトジェニックステロイド（１７−ＫＧＳ）、１７−ＯＨプレグネノロン、アルドステロン、アンドロステロン、アンドロステンジオン、１１−ヒドロキシコルチコステロイド（１１−ＯＨＣＳ）、コルチコステロン、コルチゾン、デオキシコルチコステロン（ＤＯＣ）、デヒドロエピアンドロステロンサルフェート（ＤＨＥＡ−Ｓ）、プレグネノロン、５αジヒドロテストステロン、ヒト絨毛性ゴナドトロピン（ＨＣＧ）βサブユニット、エストラジオール（Ｅ２）、エストリオール（Ｅ３）、エストロゲン、エストロン（Ｅ１）、ヒト絨毛性ゴナドトロピン（ＨＣＧ）、テストステロン、プレグナンジオール、プレグナントリオール、プロゲステロン、Ｃペプチド（ＣＰＲ）、血管作動性小腸ペプチド（ＶＩＰ）、インスリン、ガストリン、グルカゴン、抗グルタミン酸脱炭酸酵素抗体（抗ＧＡＤ抗体）、抗インスリノーマ抗原２抗体（抗ＩＡ−２抗体）、抗インスリン抗体、心筋トロポニンＴ、心室筋ミオシン軽鎖Ｉ、ヒト心臓由来脂肪酸結合蛋白（Ｈ−ＦＡＢＰ）、ヒト心房性利尿ペプタイド（ＨＡＮＰ）、脳性ナトリウム利尿ペプチド（ＢＮＰ）、脳性ナトリウム利尿ペプチド前駆体Ｎ端フラグメント（ＮＴ−ｐｒｏＢＮＰ）、ミオグロビンなどを挙げることができる。被検物質の特に好ましい一例としては、ＴＳＨである。
【００５２】
（基板）
基板１としては、表面プラズモン励起による蛍光検出法で用いることができるものであれば何でもよい。例えば、一般的な光学ガラスの一種であるＢＫ７（ホウ珪酸ガラス）等の光学ガラス、あるいは合成樹脂、具体的にはポリメチルメタクリレート、ポリエチレンテレフタレート、ポリカーボネート、シクロオレフィンポリマーなどのレーザー光に対して透明な材料からなるものが使用できる。このような基板は、好ましくは、偏光に対して異方性を示さずかつ加工性の優れた材料が望ましい。
【００５３】
（金属膜）
金属膜１１を構成する金属として、好ましくは金、銀、銅、アルミニウム、白金等の自由電子金属が挙げられる。これらの金属は単独又は組み合わせて使用することができる。金属膜１１としては金を含む金属であることが特に好ましい。
【００５４】
金属膜１１の形成は常法によって行えばよく、例えば、スパッタリング法、蒸着法、イオンプレーティング法、電気めっき法、無電解めっき法等によって行うことができる。金属膜１１を作製する基板１との良好な密着を実現するために、スパッタリング法により金属膜１１を形成することが好ましい。また、金属膜１１を形成する基板１への付着性を考慮して、基板１と金属膜１１との間にクロム等からなる介在層を設けてもよい。
【００５５】
（結合物質Ｍ１）
結合物質Ｍ１としては、被検物質を補足できる限り、特に限定されるものではないが、好ましい例としては、抗原、抗体、又はこれらの複合体があげられ、抗体を用いることが好ましい。結合物質Ｍ１が抗体である場合は、被検物質に対して特異性を有する抗体として、例えば、その被検物質によって免疫された動物の血清から調製する抗血清、抗血清から精製された免疫グロブリン画分、その被検物質によって免疫された動物の脾臓細胞を用いる細胞融合によって得られるモノクローナル抗体、あるいは、それらの断片［例えば、Ｆ（ａｂ’）２、Ｆａｂ、Ｆａｂ’、又はＦｖ］などを用いることができる。これらの抗体の調製は、常法により行なうことができる。更に、その抗体がキメラ抗体などの場合のように、修飾を加えられたものでもよいし、また市販の抗体でも、動物血清や培養上清から公知の方法により調製した抗体でも使用可能である。
【００５６】
抗体は、その動物種やサブクラス等によらず使用できる。例えば、本発明に用いることが可能な抗体は、マウス、ラット、ハムスター、ヤギ、ウサギ、ヒツジ、ウシ、ニワトリなど免疫反応が起こり得る生物に由来する抗体、具体的には、マウスＩｇＧ、マウスＩｇＭ、ラットＩｇＧ、ラットＩｇＭ、ハムスターＩｇＧ、ハムスターＩｇＭ、ウサギＩｇＧ、ウサギＩｇＭ、ヤギＩｇＧ、ヤギＩｇＭ、ヒツジＩｇＧ、ヒツジＩｇＭ、ウシＩｇＧ、ウシＩｇＭ、トリＩｇＹ等であり、ポリクローナル若しくはモノクローナルの両方に適用可能である。断片化抗体は、少なくとも１つの抗原結合部位を持つ、完全型抗体から導かれた分子であり、具体的にはＦａｂ、Ｆ（ａｂ’）２等である。これらの断片化抗体は、酵素あるいは化学的処理によって、若しくは遺伝子工学的手法を用いて得られる分子である。
【００５７】
抗体又は抗原などの結合物質を粒子に固定化する方法は、例えば、特開２０００−２０６１１５号公報やモレキュラープローブ社ＦｌｕｏＳｐｈｅｒｅｓ（登録商標）ポリスチレンマイクロスフィアＦ８８１３に添付のプロトコールなどに記載されており、免疫凝集反応用試薬を調製する公知の方法がいずれも使用可能である。また、結合物質として抗体を粒子に固定化する原理として、物理吸着及び共有結合による化学結合のいずれの原理も採用可能である。抗体を粒子に固定させた後に抗体が被覆されていない粒子表面を覆うブロッキング剤として、公知の物質、例えば、ＢＳＡ（ウシ血清アルブミン）やスキムミルク、カゼイン、大豆由来成分、魚由来成分、ポリエチレングリコールなど、或いは、これらの物質又はこれらと性質が同じである物質を含む市販の免疫反応用ブロッキング剤などが使用可能である。これらのブロッキング剤は、必要に応じて熱や酸・アルカリ等により部分変性などの前処理を施すことも可能である。
【００５８】
以下、図６〜図１１を参照し、溶液付着装置１００による溶液付着処理の具体例について説明する。
【００５９】
以下の説明では、溶液付着装置１００の吐出器具１３１として、吐出口１３１Ａを含む端面１３１ａの平面形状が１辺３．５ｍｍの正方形状であり、かつ、吐出口１３１Ａの平面形状が直径１．１ｍｍの円状となっているものが用いられる。また、吐出ユニット１３０に設けられる３つの吐出器具１３１の配列ピッチは６ｍｍである。また、吐出器具１３１は、ステンレス製とし、側面がポリテトラフルオロエチレンによってコートティングされたものが用いられる。
【００６０】
また、溶液としては、ウシ血清アルブミン（ＢＳＡ）を溶解した水溶液（０．００５質量％）が用いられる。また、溶液を付着する対象となる基板１としては、平面形状が１辺３ｍｍの正方形状の金からなる金属膜が一方向に３つ配列され、３つの金属膜のうち、配列方向において隣接する２つの金属膜間の配列方向の距離が３ｍｍとなっているものが用いられる。これらの材料又は数値の設定は一例であり、特に限定されるものではない。
【００６１】
まず、複数の基板１が、図示しないロボットアーム等によって、溶液付着装置１００のステージ１１０上に載置される。そして、図６に示すように、溶液付着制御部１５０は、基板搬送装置１２０を制御してステージ１１０を駆動し、任意の基板１上の金属膜１１が、吐出器具１３１の吐出口１３１Ａと対向する位置に来るように、任意の基板１の位置決めを行う。
【００６２】
なお、ここではステージ１１０を駆動し基板１を搬送して位置決めを行うものとしたが、位置決めの方法はこれに限らない。例えば、ステージ１１０を固定とし、吐出ユニット１３０を重力方向と垂直な方向に２次元状に移動させて、任意の基板１上の金属膜１１が吐出器具１３１の吐出口１３１Ａと対向する位置に来るようにしてもよい。
【００６３】
また、ステージ１１０と吐出ユニット１３０とを相互に移動させて、任意の基板１上の金属膜１１が吐出器具１３１の吐出口１３１Ａと対向する位置に来るようにしてもよい。
【００６４】
また、基板を位置決めするための位置決め用の枠をステージ１１０に設けておき、人間又はロボットアーム等によって、この枠内に任意の基板１を配置することで、任意の基板１上の金属膜１１が吐出器具１３１の吐出口１３１Ａと対向する位置に来るようにしてもよい。
【００６５】
以上の位置決め工程により、吐出器具１３１の吐出口１３１Ａを含む端面１３１ａよりも重力方向に、基板１に形成された溶液の付着対象領域である金属膜１１が配置された図６に示す状態が得られる。図６に示す状態では、端面１３１ａを重力方向に垂直な面Ｇ１に投影した場合の第一の投影領域と、金属膜１１を面Ｇ１に投影した場合の第二の投影領域との関係は、図５で説明したとおりとなる。
【００６６】
位置決め工程の後、溶液付着制御部１５０は、吐出ユニット駆動装置１４０を制御して、吐出ユニット１３０を重力方向に移動させる。そして、溶液付着制御部１５０は、図７に示すように、基板１上の金属膜１１表面と吐出器具１３１の端面１３１ａとの距離が第一の値Ｌ１（例えば１．１５ｍｍ）となる位置で、吐出ユニット１３０の重力方向への移動を停止させる。
【００６７】
次に、溶液付着制御部１５０は、吐出制御部１３２を制御して、３つの吐出器具１３１の吐出口１３１Ａからそれぞれ同時に、所定量（例えば１１．５μｌ）の溶液Ｊ１を吐出させる。図８は、吐出器具１３１の吐出口１３１Ａから溶液Ｊ１が吐出された様子を示している。
【００６８】
図８に示すように、吐出口１３１Ａから吐出された溶液Ｊ１は、吐出口１３１Ａを含む端面１３１ａ全体に広がった状態となり、更に、重力により重力方向に垂れ下がって、その一部が金属膜１１と接触する。
【００６９】
溶液付着制御部１５０は、図８に示すように溶液Ｊ１を金属膜１１に接触させてから所定時間（例えば０．８秒）経過後に、吐出ユニット駆動装置１４０を制御して、基板１上の金属膜１１表面と吐出器具１３１の端面１３１ａとの距離が第一の値Ｌ１よりも小さい第二の値Ｌ２（例えば０．９２ｍｍ）となる位置まで、所定速度（例えば３０ｍｍ／秒）で吐出ユニット１３０を重力方向に移動させる。
【００７０】
図９は、図８の状態から吐出ユニット１３０が重力方向に移動して、基板１上の金属膜１１表面と吐出器具１３１の端面１３１ａとの距離が第二の値Ｌ２になった状態を示している。
【００７１】
基板１上の金属膜１１表面と吐出器具１３１の端面１３１ａとの距離が第二の値Ｌ２になってから所定時間（例えば１．２秒）経過後に、溶液付着制御部１５０は、吐出ユニット駆動装置１４０を制御して、吐出ユニット１３０を所定速度（例えば３ｍｍ／秒）で重力方向の反対方向に移動させる。
【００７２】
そして、溶液付着制御部１５０は、図１０に示すように、基板１上の金属膜１１と吐出器具１３１の端面１３１ａとの距離が第二の値Ｌ２よりも大きい第三の値Ｌ３となった時点で、吐出ユニット１３０の移動を停止させる。第三の値Ｌ３は、金属膜１１に付着した溶液と端面１３１ａとが完全に分離できる程度の大きさとすればよく、例えば第一の値Ｌ１よりも大きな値が設定される。
【００７３】
なお、図９の状態から吐出ユニット１３０を重力方向の反対方向に移動させる場合の吐出ユニット１３０の移動速度は１０ｍｍ／秒以下としておくことが好ましい。この移動速度を１０ｍｍ／秒以下にしておくことで、金属膜１１と端面１３１ａとの間にある溶液が上下に分かれる際に、溶液が跳ねて、隣接する金属膜１１の溶液と混ざるのを防ぐことができる。
【００７４】
次に、溶液付着制御部１５０は、基板搬送装置１２０を制御して、図１１に示すように、ステージ１１０を移動させ、溶液をまだ付着させていない基板１の金属膜１１が、吐出器具１３１の吐出口１３１Ａと対向する位置にくるように、基板１の位置決めを行う。その後は、図７〜図１０を用いて説明した処理が繰り返される。
【００７５】
以上のように、溶液付着装置１００では、位置決め状態において、第一の投影領域１３１ａＸが第二の投影領域１１Ｘと実質的に重なっている。このため、図７に示すように、金属膜１１と吐出器具１３１の端面１３１ａとが十分に近づいた状態で、吐出器具１３１の吐出口１３１Ａから溶液が吐出されると、重力方向に見た状態では、吐出された溶液が金属膜１１全体を覆うことになる。
【００７６】
したがって、図８の状態から、図９に示すように、吐出ユニット１３０を重力方向に移動させることで、金属膜１１全体に溶液を確実に付着させることができる。また、第一の投影領域１３１ａＸが第二の投影領域１１Ｘと実質的に重なっていることで、図９の状態で各吐出器具１３１の端面１３１ａよりも外側にはみ出している溶液の量が少なくなる。この結果、各吐出器具１３１の側面に溶液が付着するのを防ぐことができ、金属膜１１に付着させる溶液の液量制御を高精度に行うことができる。
【００７７】
また、溶液付着装置１００によれば、基板１と金属膜１１との境界において濡れ性に違いが生じている場合であっても、図８の状態から吐出ユニット１３０を重力方向に移動させる制御によって、溶液がこの境界を容易に乗り越えることができる。このため、溶液を金属膜１１全体に確実に付着させることができる。
【００７８】
また、溶液付着装置１００によれば、第一の投影領域１３１ａＸが第二の投影領域１１Ｘと実質的に重なっていることで、図８に示すように、溶液Ｊ１が初めて金属膜１１に接触した段階で、金属膜１１に接触している溶液の接触面積を大きくすることができる。このように、金属膜１１表面の広い領域にわたって溶液を同時に付着させることができるため、金属膜１１表面に濡れ性のばらつきが生じている場合であっても、金属膜１１全体に溶液を付着させることが容易となる。
【００７９】
なお、溶液付着制御部１５０は、図８の状態において、吐出口１３１Ａから溶液を更に吐出させて、金属膜１１全体に溶液Ｊ１を接触させた後、吐出ユニット１３０を重力方向と反対方向に移動させて、金属膜１１への溶液付着を完了させてもよい。
【００８０】
このようにした場合でも、位置決め状態において第一の投影領域１３１ａＸが第二の投影領域１１Ｘと実質的に重なっていることで、図８の状態から溶液を更に吐出させた状態において、各吐出器具１３１の端面１３１ａよりも外側にはみ出す溶液の量を少なくすることが可能である。この結果、各吐出器具１３１の側面に溶液が付着するのを容易に防ぐことができ、金属膜１１に付着させる溶液の液量制御を高精度に行うことができる。また、図８の状態から溶液を更に吐出させることで、溶液の吐出力によって、基板１と金属膜１１の境界を溶液が乗り越えることができる。
【００８１】
溶液付着装置１００において、図５に示した距離Ｌａ（第一の距離）と距離Ｌｃは、それぞれ、第一の投影領域１３１ａＸが第二の投影領域１１Ｘと実質的に重なる範囲で任意に設定される。しかし、吐出器具１３１と金属膜１１との位置決め精度のばらつきや、吐出器具１３１又は金属膜１１の製造誤差、及び、吐出ユニット１３０の移動時における移動方向と垂直な方向への位置ずれ等を考慮すると、距離Ｌａ（第一の距離）は、距離Ｌｂ（第二の距離）の１／２０よりも大きくするのが好ましく、距離Ｌｂの１／１０より大きくするのがより好ましい。このようにすることで、位置決め状態において、第一の投影領域１３１ａＸが第二の投影領域１１Ｘと実質的に重なる状態を確実に実現することができる。
【００８２】
また、溶液付着装置１００において、図５に示した距離Ｌａ（第一の距離）は、距離Ｌｂの１／２より小さくすることが好ましく、距離Ｌｂの１／４より小さくすることがより好ましい。このようにすることで、図９に示す状態において、任意の金属膜１１に付着している溶液Ｊ１が、この任意の金属膜１１の隣の金属膜１１に付着する溶液と混ざるのを防ぐことができる。
【００８３】
つまり、距離Ｌａは、距離Ｌｂの１／２０より大きく、かつ、距離Ｌｂの１／２より小さくすることが好ましい。また、距離Ｌａは、距離Ｌｂの１／１０より大きく、かつ、距離Ｌｂの１／４より小さくすることがより好ましい。
【００８４】
また、溶液付着装置１００において、図８の状態から図９の状態に移行させる際の吐出ユニット１３０の移動量（第一の値Ｌ１から第二の値Ｌ２を引いた値）は、吐出器具１３１と金属膜１１との間に吐出されている溶液Ｊ１が吐出器具１３１の側面に回り込むのを防ぐことができ、かつ、この溶液Ｊ１が隣の吐出器具１３１から吐出された溶液と混ざるのを防ぐことができる程度の値に設定されていればよい。具体的には、上記移動量は、第一の値Ｌ１の０．５倍より小さい値にすることが好ましく、第一の値Ｌ１の０．３倍より小さい値にすることがより好ましい。
【００８５】
また、上記の移動量は、図９の状態において、金属膜１１に付着された溶液Ｊ１が、基板１と金属膜１１の境界を確実に乗り越えることができる程度の値に設定されていればよい。具体的には、上記移動量は、第一の値Ｌ１の０．０５倍より大きい値とするのが好ましい。
【００８６】
つまり、上記移動量は、第一の値Ｌ１の０．０５倍より大きく、かつ、第一の値Ｌ１の０．５倍より小さい値にすることが好ましい。また、上記移動量は、第一の値Ｌ１の０．０５倍より大きく、かつ、第一の値Ｌ１の０．３倍より小さい値にすることがより好ましい。
【００８７】
以下では、溶液付着装置１００の変形例について説明する。
【００８８】
以上の説明では、溶液付着制御部１５０が、吐出ユニット１３０を重力方向とその反対方向に移動させることで、吐出器具１３１の端面１３１ａと金属膜１１表面との重力方向の距離の制御を行うものとした。しかし、吐出ユニット１３０を固定して、ステージ１１０を重力方向とその反対方向に移動させることで、上記の距離の制御が行われる構成であってもよい。又は、吐出ユニット１３０とステージ１１０をそれぞれ重力方向とその反対方向に移動させることで、上記の距離の制御が行われる構成であってもよい。
【００８９】
以上の説明では、基板１に３つの金属膜１１が形成されているものとしているが、金属膜１１の数は、１つ、２つ、又は、４つ以上であってもよい。いずれの場合でも、吐出ユニット１３０は、金属膜１１の数と同じ数の吐出器具１３１を有するものを用いればよい。
【００９０】
以上の説明では、吐出ユニット１３０が、基板１に形成された金属膜１１の数と同じ数である３つの吐出器具１３１を有するものとしたが、吐出器具１３１の数は１つであってもよい。吐出ユニット１３０が、吐出器具１３１を１つ有するものである場合は、図６〜図１０に示した方法で任意の基板１上の任意の金属膜１１に溶液を付着させた後に、この基板１を僅かに移動させ、この金属膜１１の隣の金属膜１１上に吐出器具１３１が配置された状態とし、この状態から、図６〜図１０に示す方法で金属膜１１に溶液を付着させる。このような処理を、基板１に形成された金属膜１１の数分繰り返すことで、１つの基板１に対する溶液の付着処理を行えばよい。
【００９１】
図５に示した第一の投影領域１３１ａＸと第二の投影領域１１Ｘの各々の形状は、矩形に限らず、多角形状や円形状であってもよい。
【００９２】
以上説明してきたように、本明細書には以下の事項が開示されている。
【００９３】
開示された溶液付着装置は、重力方向に向かって溶液を吐出する吐出口を有する吐出器具と、上記吐出器具の上記吐出口を含む端面よりも重力方向に、基板に形成された溶液の付着対象領域が配置された状態で、上記吐出口から吐出させた溶液を上記付着対象領域に付着させる制御を行う溶液付着制御部と、を備え、上記状態において、重力方向に垂直な面に上記端面を投影した場合の第一の投影領域は、上記面に上記付着対象領域を投影した場合の第二の投影領域と実質的に重なっているものである。
【００９４】
開示された溶液付着装置は、上記基板には、複数の上記付着対象領域が一方向に並べて形成されており、上記第一の投影領域及び上記第二の投影領域は、それぞれ矩形であり、上記第一の投影領域は、上記第二の投影領域の上記一方向の両端から上記第二の投影領域の外側に上記一方向に向かって第一の距離ずつはみ出しており、上記第一の距離は、上記複数の付着対象領域のうちの隣接する２つの付着対象領域間の上記一方向における第二の距離の１／２０よりも大きく、上記第二の距離の１／２より小さいものである。
【００９５】
開示された溶液付着装置は、上記付着対象領域の面積は、５ｍｍ２以上１５ｍｍ２以下であるものを含む。
【００９６】
開示された溶液付着装置は、上記付着対象領域は、金を含む金属から構成されているものである。
【００９７】
開示された溶液付着装置は、上記溶液付着制御部は、上記状態で、上記吐出器具の上記端面と上記付着対象領域との重力方向の距離を第一の値に制御して、上記吐出口から吐出される溶液を上記付着対象領域に接触させ、その後、上記吐出器具の上記端面と上記付着対象領域との重力方向の距離を上記第一の値よりも小さい第二の値に制御し、その後、上記吐出器具の上記端面と上記付着対象領域との重力方向の距離を上記第二の値よりも大きい第三の値に制御して、上記吐出口から吐出される溶液を上記付着対象領域に付着させるものである。
【００９８】
開示された溶液付着装置は、上記第一の値から上記第二の値を引いた値は、上記第一の値の０．０５倍より大きく、上記第一の値の０．５倍より小さいものである。
【００９９】
開示された溶液付着装置は、上記基板は、表面プラズモン共鳴を利用して生体試料の解析を行うためのものであるものを含む。
【０１００】
開示された溶液付着方法は、重力方向に向かって溶液を吐出する吐出口を有する吐出器具の上記吐出口を含む端面よりも重力方向に、基板に形成された溶液の付着対象領域が配置された状態で、上記吐出口から吐出される溶液を上記付着対象領域に付着させる溶液付着方法であって、上記状態において、重力方向に垂直な面に上記端面を投影した場合の第一の投影領域は、上記面に上記付着対象領域を投影した場合の第二の投影領域と実質的に重なっており、上記状態で、上記吐出器具の上記端面と上記付着対象領域との重力方向の距離を第一の値に制御して、上記吐出口から吐出される溶液を上記付着対象領域に接触させ、その後、上記吐出器具の上記端面と上記付着対象領域との重力方向の距離を上記第一の値よりも小さい第二の値に制御し、その後、上記吐出器具の上記端面と上記付着対象領域との重力方向の距離を上記第二の値よりも大きい第三の値に制御して、上記吐出口から吐出される溶液を上記付着対象領域に付着させるものである。
【０１０１】
開示された溶液付着方法は、上記第一の値から上記第二の値を引いた値は、上記第一の値の０．０５倍より大きく、上記第一の値の０．５倍より小さいものである。
【０１０２】
開示された溶液付着方法は、上記基板には、複数の上記付着対象領域が一方向に並べて形成されており、上記第一の投影領域及び上記第二の投影領域は、それぞれ矩形であり、上記第一の投影領域は、上記第二の投影領域の上記一方向の両端から上記第二の投影領域の外側に上記一方向に向かって第一の距離ずつはみ出しており、上記第一の距離は、上記複数の付着対象領域のうちの隣接する２つの付着対象領域間の上記一方向における第二の距離の１／２０よりも大きく、上記第二の距離の１／２より小さいものである。
【０１０３】
開示された溶液付着方法は、上記付着対象領域の面積は、５ｍｍ２以上１５ｍｍ２以下であるものを含む。
【０１０４】
開示された溶液付着方法は、上記付着対象領域は、金を含む金属から構成されているものを含む。
【０１０５】
開示された溶液付着方法は、上記基板は、表面プラズモン共鳴を利用して生体試料の解析を行うためのものであるものを含む。
【産業上の利用可能性】
【０１０６】
本発明によれば、溶液の付着対象となる領域が形成された基板に対する溶液の付着範囲を高精度に制御することのできる溶液付着装置及び溶液付着方法を提供することができる。【０１０７】
以上、本発明を特定の実施形態によって説明したが、本発明はこの実施形態に限定されるものではなく、開示された発明の技術思想を逸脱しない範囲で種々の変更が可能である。
本出願は、２０１５年１１月２６日出願の日本特許出願（特願２０１５−２３０８４５）に基づくものであり、その内容はここに取り込まれる。
【符号の説明】
【０１０８】
１  基板
２  流路形成用部材
２１  流入孔
２２  排出孔
２３  凹部
１０  被検物質測定キット
１１  金属膜
Ｍ１  結合物質
Ｌａ，Ｌｂ，Ｌｃ  距離
１００  溶液付着装置
１１０  ステージ
１２０  基板搬送装置
１３０  吐出ユニット
１３０ａ，１３１ａ  端面
１３１ａＸ  第一の投影領域
１１Ｘ  第二の投影領域
１３１  吐出器具
１３１Ａ  吐出口
１３２  吐出制御部
１４０  吐出ユニット駆動装置
１５０  溶液付着制御部
Ｊ１  溶液
【図１】
2017090427.tif 000003
【図２】
2017090427.tif 000004
【図３】
2017090427.tif 000005
【図４】
2017090427.tif 000006
【図５】
2017090427.tif 000007
【図６】
2017090427.tif 000008
【図７】
2017090427.tif 000009
【図８】
2017090427.tif 000010
【図９】
2017090427.tif 000011
【図１０】
2017090427.tif 000012
【図１１】
2017090427.tif 000013
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
重力方向に向かって溶液を吐出する吐出口を有する吐出器具と、
前記吐出器具の前記吐出口を含む端面よりも重力方向に、基板に形成された溶液の付着対象領域が配置された状態で、前記吐出口から吐出させた溶液を前記付着対象領域に付着させる制御を行う溶液付着制御部と、を備え、
前記状態において、重力方向に垂直な面に前記端面を投影した場合の第一の投影領域は、前記面に前記付着対象領域を投影した場合の第二の投影領域と実質的に重なっており、
前記溶液付着制御部は、前記状態で、前記吐出器具の前記端面と前記付着対象領域との重力方向の距離を第一の値に制御して、前記吐出口から吐出される溶液を前記付着対象領域に接触させ、その後、前記吐出器具の前記端面と前記付着対象領域との重力方向の距離を前記第一の値よりも小さい第二の値に制御し、その後、前記吐出器具の前記端面と前記付着対象領域との重力方向の距離を前記第二の値よりも大きい第三の値に制御して、前記吐出口から吐出される溶液を前記付着対象領域に付着させる溶液付着装置。
【請求項２】
請求項１記載の溶液付着装置であって、
前記基板には、複数の前記付着対象領域が一方向に並べて形成されており、
前記第一の投影領域及び前記第二の投影領域は、それぞれ矩形であり、
前記第一の投影領域は、前記第二の投影領域の前記一方向の両端から前記第二の投影領域の外側に前記一方向に向かって第一の距離ずつはみ出しており、
前記第一の距離は、前記複数の付着対象領域のうちの隣接する２つの付着対象領域間の前記一方向における第二の距離の１／２０よりも大きく、前記第二の距離の１／２より小さい溶液付着装置。
【請求項３】
請求項１又は２記載の溶液付着装置であって、
前記付着対象領域の面積は、５ｍｍ２以上１５ｍｍ２以下である溶液付着装置。
【請求項４】
請求項１〜３のいずれか１項記載の溶液付着装置であって、
前記付着対象領域は、金を含む金属から構成されている溶液付着装置。
【請求項５】
請求項１〜４のいずれか１項記載の溶液付着装置であって、
前記第一の値から前記第二の値を引いた値は、前記第一の値の０．０５倍より大きく、前記第一の値の０．５倍より小さい溶液付着装置。
【請求項６】
請求項１〜５のいずれか１項記載の溶液付着装置であって、
前記基板は、表面プラズモン共鳴を利用して生体試料の解析を行うためのものである溶液付着装置。
【請求項７】
重力方向に向かって溶液を吐出する吐出口を有する吐出器具の前記吐出口を含む端面よりも重力方向に、基板に形成された溶液の付着対象領域が配置された状態で、前記吐出口から吐出される溶液を前記付着対象領域に付着させる溶液付着方法であって、
前記状態において、重力方向に垂直な面に前記端面を投影した場合の第一の投影領域は、前記面に前記付着対象領域を投影した場合の第二の投影領域と実質的に重なっており、
前記状態で、前記吐出器具の前記端面と前記付着対象領域との重力方向の距離を第一の値に制御して、前記吐出口から吐出される溶液を前記付着対象領域に接触させ、その後、前記吐出器具の前記端面と前記付着対象領域との重力方向の距離を前記第一の値よりも小さい第二の値に制御し、その後、前記吐出器具の前記端面と前記付着対象領域との重力方向の距離を前記第二の値よりも大きい第三の値に制御して、前記吐出口から吐出される溶液を前記付着対象領域に付着させる溶液付着方法。
【請求項８】
請求項７記載の溶液付着方法であって、
前記第一の値から前記第二の値を引いた値は、前記第一の値の０．０５倍より大きく、前記第一の値の０．５倍より小さい溶液付着方法。
【請求項９】
請求項７又は８記載の溶液付着方法であって、
前記基板には、複数の前記付着対象領域が一方向に並べて形成されており、
前記第一の投影領域及び前記第二の投影領域は、それぞれ矩形であり、
前記第一の投影領域は、前記第二の投影領域の前記一方向の両端から前記第二の投影領域の外側に前記一方向に向かって第一の距離ずつはみ出しており、
前記第一の距離は、前記複数の付着対象領域のうちの隣接する２つの付着対象領域間の前記一方向における第二の距離の１／２０よりも大きく、前記第二の距離の１／２より小さい溶液付着方法。
【請求項１０】
請求項７〜９のいずれか１項記載の溶液付着方法であって、
前記付着対象領域の面積は、５ｍｍ２以上１５ｍｍ２以下である溶液付着方法。
【請求項１１】
請求項７〜１０のいずれか１項記載の溶液付着方法であって、
前記付着対象領域は、金を含む金属から構成されている溶液付着方法。
【請求項１２】
請求項７〜１１のいずれか１項記載の溶液付着方法であって、
前記基板は、表面プラズモン共鳴を利用して生体試料の解析を行うためのものである溶液付着方法。
【国際調査報告】
2017090427.tif 000014
2017090427.tif 000015